(57)【特許請求の範囲】
【請求項１】
イオン樹脂を備えるイオン樹脂タンク１００と、
再生剤を投入することができ、前記イオン樹脂に充填する再生水を生成する再生筒２００と、
前記再生筒２００に備えられ、残水を外部に排出するドレインバルブ２９３と、
前記イオン樹脂タンク１００及び前記再生筒２００に選択的に原水を供給する入水部４００と、
軟水モード、原水モード及び再生モードのいずれかが選択され、前記入水部４００と前記イオン樹脂タンク１００と前記再生筒２００間の流路を切り替えるタイマー及びセラミックディスク切替バルブ３００とを含む軟水器であって、
前記再生筒２００の上部には、タブレット型の再生剤を投入するための再生剤投入バルブ２１０が設けられ、
前記ドレインバルブ２９３は、前記再生筒２００の下部に設けられ、
前記再生筒２００の内側には、上下に流体疎通可能に複数の通孔が備えられた通過部材２３０が設けられ、これにより、前記再生筒２００の内部は、上側の再生剤貯蔵部２５１と下側のバッファ２５２に区画され、
前記通過部材２３０の通孔の大きさは、前記再生剤貯蔵部２５１に貯蔵される前記再生剤の大きさより小さく、
前記入水部４００を介して前記再生筒２００に流入する原水は、原水流入ロッド２２０を介して再生剤貯蔵部２５１に供給され、
前記軟水器が再生モードの場合、予め設定された方法により第１モード及び第２モードのいずれかが選択され、
前記第１モードは、前記タイマー及びセラミックディスク切替バルブ３００により予め設定された時間運用され、前記再生筒２００に原水が供給されて再生水が生成され、前記バッファ２５２に前記再生水が収集され、
前記第２モードにおいては、前記バッファ２５２に接続された前記ドレインバルブ２９３が開放される、
半自動水圧式軟水器。
【請求項２】
前記再生筒２００は真空状態であり、
前記再生筒２００に原水が所定の水圧で流入すると、原水の水圧により前記再生筒２００に貯留された再生水が前記イオン樹脂タンク１００に流動する、
請求項１に記載の半自動水圧式軟水器。
【請求項３】
前記第１モード及び前記第２モードのいずれかを選択する予め設定された方法は、
再生モードで前記再生筒２００に流入した累積流量が予め設定された流量未満であれば第１モードが選択され、予め設定された流量以上であれば第２モードが選択される方法である、
請求項１又は２に記載の半自動水圧式軟水器。
【請求項４】
前記再生筒２００に流入した累積流量を測定する積算計をさらに含む、
請求項３に記載の半自動水圧式軟水器。
【請求項５】
前記第１モードにおいて、前記再生筒２００内に位置する残水と前記再生筒２００で生成された新たな再生水が混合されて前記イオン樹脂タンク１００に供給される、
請求項１又は２に記載の半自動水圧式軟水器。
【請求項６】
前記再生筒２００と前記入水部４００は原水定流量流入ライン２９１で連結され、
前記第１モードにおいて、前記原水定流量流入ライン２９１により予め設定された水圧で予め設定された流量の原水が前記再生筒２００に供給される、
請求項１又は２に記載の半自動水圧式軟水器。
【請求項７】
前記第２モードにおいて、前記ドレインバルブ２９３が開放されて再生剤投入要求信号が生成される、
請求項１又は２に記載の半自動水圧式軟水器。
【請求項８】
前記ドレインバルブ２９３に連結され、着脱可能な残水ドレイン筒をさらに含む、
請求項７に記載の半自動水圧式軟水器。
【発明の詳細な説明】
【技術分野】
【０００１】
本発明は、半自動水圧式軟水器に関する。具体的には、モード選択により、残水を再生水として用いたり、ドレインすることのできる軟水器に関する。
【背景技術】
【０００２】
水道水（以下、「硬水」）には浄化過程で多量の塩化物イオンが含まれるが、老朽した管を通過した場合や水道水の原水自体に汚染が激しい場合は、人体に有害な鉄、亜鉛、鉛、水銀などの様々な重金属イオンが含まれる。このようなイオン成分は特に石鹸の脂肪酸と結合すると金属性異物を生成し、それが皮膚に接触するとアレルギーや皮膚老化を引き起こす。
【０００３】
これを防止するために、硬水にＮａ＋などの強酸性陽イオンを通過させ、硬度成分であるＣａ２＋及びＭｇ２＋をＮａ＋と交換させることにより軟水を生成する軟水器が用いられる。
【０００４】
そのために、軟水器にはナトリウムイオンを含む水が保存されているイオン樹脂タンクが備えられる。しかし、イオン樹脂タンクを継続して用いると、イオン樹脂タンク内のナトリウムイオンが継続して消費されるので、所定の間隔でイオン樹脂タンクにナトリウムイオンを充填するために、再生筒内でナトリウムイオンを含む再生水を生成し、それがイオン樹脂タンクを通過するようにしなければならない。
【０００５】
そのために、再生筒には流入する原水に溶解することによりナトリウムイオンを含む再生水を生成する再生剤が充填される。再生剤としては、ＮａＣｌ成分を含む塩などの物質が主に用いられる。
【０００６】
再生剤は、その形態により、レンガのようなブロック型と、粉又は小さな球（ball）状の粉末型に分けられる。
【０００７】
しかし、ブロック型再生剤においては、再生過程でブロックの一部は残っていても他の一部、特に再生のために原水が流入する部分側の再生剤が溶解してなくなると再生水の生成効率が低下するため、新たなブロックに交換しなければならないことが頻繁に報告されている。
【０００８】
粉末型の再生剤においては、所望の量の再生剤のみを用いることが容易でなく、再生水の濃度（以下、「塩度」）が一定でないため効率が低い。
【０００９】
特に、いかなる再生剤を用いても、再生水タンクである再生筒内の残水がきれいにドレインされなければ、その後生成される再生水と混合されて濃度が変化したり、汚染が発生することも報告されている。
【００１０】
一方、再生剤を溶解する方式によっても、重力により原水が流入する重力式と、原水の流入圧力により水圧で溶解する方式である水圧式に分けられる。
【００１１】
しかし、重力式、すなわち自動再生方式の場合は再生回数毎に再生剤を溶解する塩度差によって所要時間が異なり、水圧式の場合は粉末型再生剤を用いることが困難である。
【先行技術文献】
【特許文献】
【００１２】
【特許文献１】韓国公開特許第２０１５−００６２８８７号公報
【特許文献２】韓国公開特許第２０１３−０１１２３４６号公報
【特許文献３】韓国公開特許第２０１２−００７１１７４号公報
【特許文献４】韓国公開特許第２０１１−０１２１４９１号公報
【特許文献５】韓国出願特許第２０１０−０００２１７５号公報
【発明の概要】
【発明が解決しようとする課題】
【００１３】
本発明は、上記問題を解決するためになされたものである。
【００１４】
具体的には、ブロック型再生剤と粉末型再生剤が有する問題を解決するために、タブレット（tablet）型再生剤を提案する。
【００１５】
特に、タブレット型再生剤を用いながらも、残水を適切に用いることにより汚染問題を解決すると共に、均一な塩度が得られる軟水器を提案する。
【課題を解決するための手段】
【００１６】
上記課題を解決するための本発明の一実施形態は、イオン樹脂を備えるイオン樹脂タンク１００と、再生剤を投入することができ、前記イオン樹脂を充填する再生水を生成する再生筒２００と、再生筒２００に備えられ、残水を外部に排出するドレインバルブ２９３と、イオン樹脂タンク１００及び再生筒２００に選択的に原水を供給する入水部４００と、軟水モード、原水モード及び再生モードのいずれかが選択され、入水部４００とイオン樹脂タンク１００と再生筒２００間の流路を切り替えるタイマー及びセラミックディスク切替バルブ３００とを含む軟水器であって、前記軟水器が再生モードの場合、予め設定された方法により第１モード及び第２モードのいずれかが選択され、前記第１モードは、タイマー及びセラミックディスク切替バルブ３００により予め設定された時間運用され、再生筒２００に原水が供給されて再生水が生成され、前記第２モードにおいては、ドレインバルブ２９３が開放される、半自動水圧式軟水器を提供する。
【００１７】
また、再生筒２００は真空状態であり、再生筒２００に原水が所定の水圧で流入すると、原水の水圧により再生筒２００に貯留された再生水がイオン樹脂タンク１００に流動することが好ましい。
【００１８】
さらに、前記第１モード及び前記第２モードのいずれかを選択する予め設定された方法は、再生モードで再生筒２００に流入した累積流量が予め設定された流量未満であれば第１モードが選択され、予め設定された流量以上であれば第２モードが選択される方法であることが好ましい。
【００１９】
さらに、前記半自動水圧式軟水器は、再生筒２００に流入した累積流量を測定する積算計をさらに含むことが好ましい。
【００２０】
さらに、前記第１モードにおいて、再生筒２００内に位置する残水と再生筒２００で生成された新たな再生水が混合されてイオン樹脂タンク１００に供給されることが好ましい。
【００２１】
さらに、再生筒２００と入水部４００は原水定流量流入ライン２９１で連結され、前記第１モードにおいて、原水定流量流入ライン２９１により予め設定された水圧で予め設定された流量の原水が再生筒２００に供給されることが好ましい。
【００２２】
さらに、前記第２モードにおいて、ドレインバルブ２９３が開放されて再生剤投入要求信号が生成されることが好ましい。
【００２３】
さらに、前記半自動水圧式軟水器は、ドレインバルブ２９３に連結され、着脱可能な残水ドレイン筒をさらに含むことが好ましい。
【００２４】
さらに、再生筒２００に投入される再生剤はタブレット（tablet）型再生剤であることが好ましい。
【発明の効果】
【００２５】
本発明によれば、タブレット型再生剤が用いられるので、ブロック型再生剤において一部のみ溶解するという問題が解決され、粉末型再生剤において水圧式を適用できないという問題が解決される。よって、本発明は半自動水圧式軟水器を採用する。
【００２６】
また、再生水生成のための原水が一定水圧で一定時間、一定量のみ流入するので、塩度を一定に維持する再生水生成が可能である。本発明者の実験により、約９〜１１％の適切な塩度が継続して維持されることが確認された。
【００２７】
真空状態の再生筒に一定水圧で原水が流入するが、その力により自然に再生水がイオン樹脂タンクに移動する。ここで、チェックバルブが採用されるので、イオン樹脂タンクから再生筒に水が流入して再生水が希釈されるという問題も解決される。
【００２８】
再生筒内に残っている残水は、汚染が問題とならない所定時間は新たに生成された再生水と混合されて用いられるが、所定時間経過すると、すなわち再生筒に一定流量の原水が流入することが確認されると、着脱可能な残水ドレイン筒に排出されるので汚染の問題も解決される。
【００２９】
通過部材で再生筒が２つに区画されているため、再生剤は再生水生成条件でなければ原水、再生水、残水に接しないので、不要に再生剤が溶解する現象が防止される。
【図面の簡単な説明】
【００３０】
【図１】本発明による軟水器を示す図である。説明のためにカバーが省略されている。
【図２】本発明による再生筒を示す図である。
【図３】本発明による再生筒を示す断面斜視図である。
【図４ａ】本発明による再生筒の再生水生成方法について説明するための概略断面図である。
【図４ｂ】本発明による再生筒の再生水生成方法について説明するための概略断面図である。
【図４ｃ】本発明による再生筒の再生水生成方法について説明するための概略断面図である。
【図４ｄ】本発明による再生筒の再生水生成方法について説明するための概略断面図である。
【図４ｅ】本発明による再生筒の再生水生成方法について説明するための概略断面図である。
【図４ｆ】本発明による再生筒の再生水生成方法について説明するための概略断面図である。
【図４ｇ】本発明による再生筒の再生水生成方法について説明するための概略断面図である。
【図４ｈ】本発明による再生筒の再生水生成方法について説明するための概略断面図である。
【図５】図４ａ〜図４ｈを共に示す図である。
【図６】本発明による再生筒の再生水生成方法について説明するためのフローチャートである。
【発明を実施するための形態】
【００３１】
以下、図面を参照して、本発明について詳細に説明する。
【００３２】
軟水器についての説明
図１は本発明による軟水器を示す図である。説明のためにカバーが省略されている。
【００３３】
本発明による軟水器は、イオン樹脂タンク１００、再生筒２００、タイマー及びセラミックディスク切替バルブ３００、入水部４００並びに出水部５００を含む。
【００３４】
イオン樹脂タンク１００にはイオン樹脂が備えられる。ここにはナトリウムイオンが充填されている。
【００３５】
再生筒２００には再生剤を投入することができ、原水が再生筒２００に流動すると、ナトリウムイオンを含む再生水が生成されてイオン樹脂タンク１００に流動するので、イオン樹脂タンク１００に含まれるイオン樹脂にナトリウムイオンが充填される。
【００３６】
タイマー及びセラミックディスク切替バルブ３００のうち切替バルブは軟水モード、原水モード及び再生モードのいずれかが選択されると流路を変更し、タイマーは再生モードを予め設定された特定時間だけ維持する。
【００３７】
ユーザは軟水器の外部の操作部を操作することにより軟水モード、原水モード及び再生モードのいずれかを選択することができ、その結果に応じてタイマー及びセラミックディスク切替バルブ３００が作動して流路が変更される。
【００３８】
ユーザが軟水モードを選択した場合、出水部５００を介して軟水が排出される。この場合、タイマー及びセラミックディスク切替バルブ３００により入水部４００を介して軟水器に流入した原水がイオン樹脂タンク１００に流動して硬水が軟水化され、軟水は出水部５００を介してユーザに排出される。
【００３９】
ユーザが原水モードを選択した場合、出水部５００から直ちに原水が排出される。すなわち、タイマー及びセラミックディスク切替バルブ３００により入水部４００を介して軟水器に流入した原水は、イオン樹脂タンク１００を経ずに直ちに出水部５００に排出される。
【００４０】
ユーザが再生モードを選択した場合、タイマー及びセラミックディスク切替バルブ３００により入水部４００に流入した原水は再生筒２００に流動して再生水が生成され、それがイオン樹脂タンク１００に流入してイオン樹脂にナトリウムイオンを充填し、その後外部に排出される。
【００４１】
ここで、タイマー及びセラミックディスク切替バルブ３００のタイマーにより、再生モードは約１５分間のみ作動する。また、選択的に第１モード又は第２モードで作動する。これについては再生水生成方法の説明において後述する。
【００４２】
一方、再生筒２００には着脱可能な残水ドレイン筒（図示せず）が位置する。残水ドレイン筒（図示せず）は、後述する再生筒２００のドレインバルブ２９３に連通しているので、再生筒２００に残水が残っていてそれを排出する必要がある場合に、ユーザはドレインバルブ２９３を開放することにより再生筒２００内の残水をきれいに残水ドレイン筒（図示せず）に排出することができ、その後それを軟水器から分離して別途に廃棄すればよい。このようなドレインバルブ２９３と残水ドレイン筒（図示せず）により、再生筒２００内に残水が残っているために発生する汚染問題を解決することができる。
【００４３】
再生筒についての説明
以下、図２及び図３を参照して、本発明による再生筒２００について説明する。
【００４４】
再生筒２００を外部から見ると、上部に再生剤投入バルブ２１０が位置し、下部に原水定流量流入ライン２９１、チェックバルブ２９２及びドレインバルブ２９３が位置する。
【００４５】
再生剤投入バルブ２１０は、再生筒２００に再生剤を投入するために開放され、投入が完了すると閉鎖される。閉鎖すると再生筒２００の内部空間は真空状態が維持されるように密閉される。
【００４６】
ここで、再生剤はタブレット（tablet）型であることが好ましい。背景技術の説明で述べたように、ブロック型においては一部のみ溶解して一部は溶解しないという問題が生じ、粉末型においては水圧式を採用することができないのに対して、タブレット型においては一部のみ溶解する問題が生じず、水圧式を採用することができる。後述するが、本発明による再生筒２００には半自動水圧式が採用されている。
【００４７】
定流量流入ライン２９１は、再生水生成のために再生筒２００に原水を所定量供給するように、入水部４００と後述する原水流入ロッド２２０を連結するラインである。
【００４８】
チェックバルブ２９２は、再生筒２００とイオン樹脂タンク１００を連結するラインに備えられる。具体的には、再生水が貯留される空間である後述のバッファ２５２とイオン樹脂タンク１００を連結するラインに備えられる。チェックバルブ２９２がないと、逆にイオン樹脂タンク１００から再生筒２００に軟水が流動することがあり、再生水の塩度調節が困難になるからである。
【００４９】
ドレインバルブ２９３は、ユーザがこれを開放すると、再生筒２００に残っている残水を残水ドレイン筒（図示せず）に流動させる。
【００５０】
再生筒２００を内部から見ると、再生筒２００の内側には上下に流体疎通可能に複数の通孔が備えられ、再生筒２００の内部を上側の再生剤貯蔵部２５１と下側のバッファ２５２に区画する通過部材２３０が位置する。
【００５１】
通過部材２３０は、再生筒２００の段差部２３１に装着された形態であってもよい。
【００５２】
通過部材２３０の通孔の大きさはタブレット型再生剤の大きさより小さい。よって、タブレット型再生剤は通過部材２３０の上側の空間である再生剤貯蔵部２５１にのみ留まると共に、原水が流入して再生剤が溶解することにより生成された再生水は自然と通過部材２３０を通過してバッファ２５２に移動する。
【００５３】
通過部材２３０を貫通する構成であり、下側末端は原水定流量流入ライン２９１に連通して原水が流動し、上側末端は再生剤貯蔵部２５１に達するように構成される原水流入ロッド２２０が備えられる。
【００５４】
原水流入ロッド２２０は、通過部材２３０より所定の長さで突出している。前述したように、再生剤投入バルブ２１０が閉鎖されると再生筒２００の内部空間が真空状態に維持されるが、原水流入ロッド２２０を介して流入した原水が空気を押す水圧を有するので、予め設定された水圧で流入した原水の力によりバッファ２５２内の再生水がイオン樹脂タンク１００まで自動で排出される。
【００５５】
また、それと同時に、原水流入ロッド２２０を介して予め設定された水圧で流入した原水は、再生剤貯蔵部２５１に排出されて再生剤を円滑に溶解する。
【００５６】
ここで、予め設定された水圧は０．７〜３．０ｋｇｆ／ｃｍ２であり、その水圧は定流量流入ライン２９１に備えられたフィッティング部により維持することができる。
【００５７】
再生水生成方法についての説明
まず、本発明による再生水生成方法は、第１モードと第２モードに分けられる。
【００５８】
第１モードは、再生筒２００のバッファ２５２に残っている残水を再生水として活用するモードである。再生筒２００のバッファ２５２に残っている残水を敢えてドレインする必要はない。前述したように、再生筒２００に原水が予め設定された水圧で流入することによりバッファ２５２に残っている残水（すなわち、再生水）がイオン樹脂タンク１００に流動し始め、当該原水により生成された再生水が残っている残水と混合される。
【００５９】
第２モードは、残水を廃棄する必要があると判断される場合である。この場合、ドレインバルブ２９３を開放することにより残水ドレイン筒（図示せず）に残水を流動させ、その後ユーザが残水ドレイン筒（図示せず）を軟水器から分離することにより残水を廃棄することができる。
【００６０】
第１モードと第２モードは、再生筒２００に流入した累積流量に基づいて判断することが好ましい。
【００６１】
本発明の一実施形態において、１回の再生時間は約１５分であり、１回の再生において１４０〜２００ｍｌ／分の速度で原水が流入し、再生筒２００の体積は約８回の再生が可能な再生剤を格納できるように設計されている。
【００６２】
よって、再生筒２００に流入する原水の流量を別途の積算計（図示せず）で累積することにより、１６，８００〜２４，０００ｍｌの原水が再生筒２００に流入したか、より好ましくは約２０，０００ｍｌの原水が再生筒２００に流入したかを確認し、それ未満であれば第１モードで作動させ、それ以上であれば第２モードで作動させる。
【００６３】
ここで、例示的に２０，０００ｍｌと提示された基準流量は、再生筒２００の体積、１回の再生時間、原水の流入速度などにより自在に変更可能であることは言うまでもない。
【００６４】
第１モードにおいては別途の操作が必要でないが、第２モードにおいてはドレインバルブ２９３が手動又は自動で開放され、ユーザに残水ドレイン筒（図示せず）を分離して排出する必要があることを通知し、それと同時に再生剤を新たに投入する必要があることを通知する再生剤投入要求信号が発生する。再生剤投入要求信号が発生すると、別途の通知灯が点灯してユーザに通知する。（つまり、本発明による再生筒は、半自動水圧式再生筒である。）
【００６５】
以下、図４ａ〜図６を参照して、本発明による軟水器の再生水生成方法について説明する。
【００６６】
きれいに空にした再生筒２００にタブレット型再生剤が投入される（Ｓ１００，図４ａ）。再生剤は通過部材２３０を通過することができないので、再生剤貯蔵部２５１にのみ保存される。再生剤投入後は真空状態が維持される。
【００６７】
再生モードが選択されると、タイマー及びセラミックディスク切替バルブ３００により入水部４００と再生筒２００が原水定流量流入ライン２９１で連通すると共に時間測定が開始される。
【００６８】
原水は、水栓口から入水部４００、原水定流量流入ライン２９１及び原水流入ロッド２２０を介して再生剤が完全に充填された再生剤貯蔵部２５１に予め設定された水圧で流入する。予め設定された水圧で流入することにより、再生剤が広い範囲で円滑に溶解する（Ｓ３００）。
【００６９】
原水が流入すると、直ちに再生剤貯蔵部２５１の再生剤が原水に溶解して再生水が生成され、生成された再生水は通過部材２３０を自重により通過してバッファ２５２に収集される（Ｓ４００，図４ｂ）。
【００７０】
原水が約１５分間流入すると、再生水はその間続けて生成され、下降してバッファ２５２に収集される。再生筒２００は依然として真空状態である。よって、予め設定された水圧で流入する原水の力によりバッファ２５２に収集される再生水は、イオン樹脂タンク１００に流動する（Ｓ５００，図４ｃ）。
【００７１】
約１５分経過すると１回の再生モードが完了する。具体的には、第１モードが完了する。
【００７２】
第１モードが完了すると、再生剤貯蔵部２５１のタブレット型再生剤は一部溶解してその高さが低くなり、バッファ２５２にも残水が残っている（図４ｄ）。
【００７３】
再生モードを１回実行してイオン樹脂タンク１００のイオン樹脂にナトリウムイオンが充填されると、ユーザは再び軟水を所定期間用いることができる。その後、再びイオン樹脂タンク１００の充填が必要であると判断されると、再び再生モードを実行する。
【００７４】
再生モードが実行されると、すなわち再生筒２００に原水が流入し始めると（Ｓ６００）、再生筒２００に流入した累積流量を積算計により測定し、予め設定された流量になったかを判断する（Ｓ７００）。
【００７５】
再生筒２００に流入した累積流量が予め設定された流量未満であれば、再び第１モードが実行される。すなわち、タイマー及びセラミックディスク切替バルブ３００により原水定流量流入ライン２９１を介して原水が再生筒２００に流入し、時間測定が開始され、原水が原水流入ロッド２２０を介して再生剤貯蔵部２５１に予め設定された水圧で流入し、再生水が生成され、通過部材２３０を通過してバッファ２５２に収集される。この場合、生成された再生水は、前回の再生モード（第１モード）で生成されてバッファ２５２に残っている残水と混合される（図４ｅ）。
【００７６】
残水と混合された再生水は、原水が流入する予め設定された水圧によりイオン樹脂タンク１００に流動する（図４ｆ）。
【００７７】
約１５分経過して１回の再生モードが完了すると、やはり残水が残っている（図４ｇ）。
【００７８】
再生筒２００に流入した累積流量が予め設定された流量に達すると第２モードが実行される。ドレインバルブ２９２が手動又は自動で開放されて残水が残水ドレイン筒（図示せず）に排出され、ユーザに残水ドレイン筒（図示せず）を分離して排出する必要があることを通知し、それと同時に再生剤を新たに投入する必要があることを通知する再生剤投入要求信号が発生する（Ｓ８００，図４ｈ）。
【００７９】
すなわち、第２モードが完了すると、図４ａに示すように、再生筒２００に再生剤がなく、残水もない状態であり、再び再生剤が再生筒２００に投入されて用いられる。
【００８０】
以上、本発明を当業者が容易に理解して再現できるように、図面に示す実施形態を参照して説明したが、これは例示的なものにすぎず、当業者であれば本発明の実施形態から様々な変形及び実施形態が可能であることを理解するであろう。よって、本発明の範囲は特許請求の範囲により決定されるべきである。
【図１】
0006498359.tif 000002
【図２】
0006498359.tif 000003
【図３】
0006498359.tif 000004
【図４ａ】
0006498359.tif 000005
【図４ｂ】
0006498359.tif 000006
【図４ｃ】
0006498359.tif 000007
【図４ｄ】
0006498359.tif 000008
【図４ｅ】
0006498359.tif 000009
【図４ｆ】
0006498359.tif 000010
【図４ｇ】
0006498359.tif 000011
【図４ｈ】
0006498359.tif 000012
【図５】
0006498359.tif 000013
【図６】
0006498359.tif 000014